(57)【要約】【課題】潜函水槽の側壁を、周囲の地盤圧力や土の粘着力の影響を受けることなく、地面下の所定位置まで容易に沈設する。【解決手段】潜函水槽の側壁１は、側壁１の内部における地盤４ａをグラブバケット５ａで掘削することにより、その自重によって地面Ｅ下の所定位置まで沈設させる。その沈設の途上で、側壁１が、周囲の地盤の圧力や土の大きな粘着力で地盤に付着して沈設が困難になった場合には、側壁１の上部に複数の容器３を取り付けて、その中に掘削土（荷重材料）Ｗを入れる。これにより、側壁１に掘削土Ｗの荷重がカウンターウェイトとして付加され、側壁１の周囲と地盤４ａとの付着力が確実に断ち切られ、側壁１の沈設が容易に行われる。【選択図】　　　　図１
2004019173.tif 000002
【特許請求の範囲】
【請求項１】
地上で組み立てられた潜函水槽の側壁を地面に垂直に置き、側壁の内部における地盤を掘削することにより、側壁をその自重によって地面下の所定位置まで沈設する潜函水槽の構築方法において、
前記側壁に容器を取り付けて、該容器に荷重材料を入れて側壁の沈設方向に荷重を付加した状態で、前記側壁の内部の地盤を掘削することを特徴とする潜函水槽の構築方法。
【請求項２】
前記荷重材料は側壁の内部における地盤の掘削土であることを特徴とする請求項１に記載の潜函水槽の構築方法。
【請求項３】
前記容器には複数の微細な孔が設けられていることを特徴とする請求項２に記載の潜函水槽の構築方法。
【請求項４】
前記容器を、側壁の内周の上部に周方向に沿って、複数個、所定間隔をあけて取り付けることを特徴とする請求項１〜３のいずれかに記載の潜函水槽の構築方法。
【発明の詳細な説明】
【０００１】
【発明の属する技術分野】
本発明は、防火用貯水槽や受水槽等として使用される地下貯水槽を潜函工法によって地盤に沈設する潜函水槽の構築方法に関するのものである。
【０００２】
【従来の技術】
従来、この種の潜函水槽は、地上で複数個の円弧版状のコンクリートセグメントを周方向に連結して円筒状に組み立てた側壁を、地面に対して垂直にして側壁の内部における地盤を掘削することにより、側壁をその自重によって地面下の所定位置まで沈設させた後底版を施工して構築するのが一般的である。
【０００３】
【発明が解決しようとする課題】
しかしながら、従来の潜函水槽の構築方法では、前記側壁を沈設する際に、側壁の外周囲の地盤圧力や粘性地盤である場合の土の粘着力にもとづいて生ずる地盤と側壁との間の付着力によって、側壁が容易に沈下せず、所定位置まで沈設できないこともある。このような事態が起こる場合を想定して、製品（側壁）にフリクションカットを設けているが、地盤の状態によっては前記フリクションカットが有効に作用しない場合がある。
【０００４】
本発明は、上記事情に鑑みてなされたものであって、潜函水槽の側壁を、周囲の地盤圧力や土の粘着力の影響を受けることなく、地面下の所定位置まで容易に沈設することができる潜函水槽の構築方法を提供することを目的とする。
【０００５】
【課題を解決するための手段】
本発明は、前記課題を解決するために、以下の点を特徴としている。
すなわち、請求項１に係る潜函水槽の構築方法は、地上で組み立てられた潜函水槽の側壁を地面に垂直に置き、側壁の内部における地盤を掘削することにより、側壁をその自重によって地面下の所定位置まで沈設する潜函水槽の構築方法において、前記側壁に容器を取り付けて、該容器に荷重材料を入れて側壁の沈設方向に荷重を付加した状態で、前記側壁の内部の地盤を掘削することを特徴としている。
【０００６】
請求項２に係る潜函水槽の構築方法は、請求項１に記載の構築方法において、前記荷重材料は側壁の内部における地盤の掘削土であることを特徴としている。請求項３に係る潜函水槽の構築方法は、請求項２に記載の構築方法において、前記容器に複数の微細な孔が設けられていることを特徴としている。
【０００７】
請求項４に係る潜函水槽の構築方法は、請求項１〜３のいずれかに記載の構築方法において、前記容器を、側壁の内周の上部に周方向に沿って、複数個、所定間隔をあけて取り付けることを特徴としている。
【０００８】
【発明の実施の形態】
以下、本発明の一実施の形態に係る潜函水槽の構築方法について図１を参照して説明する。
図１において、１は地下貯水槽の側壁である。この側壁１は、従来と同様に、予め、地上で複数個の円弧版状のコンクリートセグメントを周方向に連結して円筒状に組み立てられる。前記側壁１の上端部１ａには、その周方向に沿って所定間隔（等間隔）をあけて複数本の支柱部材２が取り外し可能に設置されている。該支柱部材２には、所定容量の袋または箱等の容器３が着脱自在に支持されるようになっている。該容器３の底部には、図示しないが適宜手段により開閉可能な開口部が設けられている。
【０００９】
地上で組み立てられた前記側壁１は、地面Ｅに対して垂直にして側壁１の内部における地盤４ａを、掘削積込み機械５のグラブバケット５ａで掘削することにより、側壁１をその自重によって地面下の所定位置まで沈設させる。その沈設の途上において、側壁１が、側壁１の外周囲の地盤圧力によって、あるいは粘性地盤に突き当たり、周囲の土の大きな粘着力によって地盤に付着して沈設が困難になった場合には、前記支柱部材２に前記容器３を取り付け、前記グラブバケット５ａで地盤４ａを掘削して吊り上げた掘削土（荷重材料）Ｗを前記各容器３の中に均等に投入する。
【００１０】
これにより、前記側壁１に対し、前記容器３に投入された掘削土Ｗの重量分の荷重が側壁１の自重に加算されて側壁１の沈設方向イに付加されるため、前記側壁１の外周囲と地盤３ｂとの付着力が確実に断ち切られ、側壁１の沈設が容易、かつ円滑に進められる。
このようにして、前記側壁１の沈設が進められて地面Ｅ下の所定位置まで沈設できたときは、掘削土Ｗの入った容器３を積込み機械５を利用して支柱部材２から取り外して、容器３の底部の開口部を開けて掘削土Ｗを排出するか、または前記容器３を支柱部材２に支持した状態で容器３の底部の開口部を開けて掘削土Ｗを地盤４ａ上に排出した後、容器３を支柱部材から取り外して回収する。この場合、地盤４ａ上に排出した掘削土Ｗはグラブバケット５ａで側壁１外へ排出すればよい。前記側壁１の沈設後は、側壁１の下端部の内側に底版を施工することにより、地下水槽の本体部の施工が完了する。
【００１１】
上記のとおり、前記実施の形態に係る潜函水槽の構築方法によれば、潜函水槽の側壁１の地面下への沈設の途上、側壁１の外周囲の地盤圧力によって、あるいは粘性地盤に突き当たり、周囲の土の大きな粘着力によって地盤に付着して側壁１の沈設が困難になった場合には、前記側壁１の上部に周方向に等間隔に設置した複数本の支柱部材２のそれぞれに前記容器３を取り付け、前記グラブバケット５ａで地盤４ａを掘削して吊り上げた掘削土Ｗを前記各容器３の中に均等に投入するようにしたので、前記掘削土Ｗによる荷重が、側壁１の全周にわたって均等にして側壁１の沈設方向にカウンターウェイトとして付加され、その付加荷重により側壁１の周囲と地盤４ｂとの付着力が確実に断ち切られるため、地盤圧力や土の粘着力の影響を受けることなく、側壁１の沈設を容易に行うことができる。したがって、潜函水槽を構築する地盤の状態による施工工期の遅れを防ぐことができると共に、側壁１の沈設に伴う潜函水槽の傾きを無くすることができる。
【００１２】
なお、前記実施の形態に係る潜函水槽の構築方法においては、前記側壁１の内側の地盤４ａの掘削土Ｗを荷重材料として利用して前記容器３に入れ、側壁１のカウンターウェイト代わりにしたので、荷重材料を側壁１の沈設時に必然的に行われる地盤４ａの掘削作業に伴って手近において容易に得ることができて好ましいが、荷重材料はこれに限らず、掘削土Ｗを用いることができない場合は、水、砂、水に土砂が混入したもの等を使用することができる。
【００１３】
また、前記容器３の底部や周囲に微細な孔を多数設けておくと、地盤４ａの掘削土Ｗに水分が多く含まれているような場合、前記容器３に入れられた掘削土Ｗは、前記微細な孔から水分が絞り出されて締め固め（水抜き）が同時に行われるので、掘削土の運搬効率を上げることができる。前記容器３に設ける孔は、掘削土が徒に容器３から漏れ出ることがなく、掘削土中の水分が容易に逃げ出る大きさであればよく、大きさに寸法上の厳密な制約はない。
【００１４】
【発明の効果】
以上説明したように、本発明によれば以下の優れた効果を奏する。
請求項１に係る潜函水槽の構築方法によれば、潜函水槽の側壁に容器を取り付けて、該容器に荷重材料を入れて側壁の沈設方向に荷重を付加した状態で、前記側壁の内部の地盤を掘削するので、側壁の外周囲の地盤圧力によって、あるいは粘性地盤に突き当たり、周囲の土の大きな粘着力によって、側壁が地盤に付着して沈設が困難が予想される場合であっても、前記容器に入れられた荷重材料にもとづく側壁への付加荷重により側壁の周囲と地盤との付着力を確実に断ち切ることができるため、地盤圧力や土の粘着力の影響を受けることなく、側壁の沈設を容易に行うことができる。
したがって、潜函水槽を構築する地盤の状態による施工工期の遅れを防ぐことができる。
【００１５】
請求項２に係る潜函水槽の構築方法によれば、容器に入れる荷重材料として側壁の内部における地盤の掘削土を使用するので、前記荷重材料を、側壁の沈設時に必然的に行われる地盤の掘削作業に伴って手近において容易に得ることができる。
【００１６】
請求項３に係る潜函水槽の構築方法によれば、側壁に取り付ける容器に複数の微細な孔が設けられているので、前記容器に入れられた掘削土の締め固め（水抜き）を行うことができ、掘削土の運搬効率を上げることができる。
【００１７】
請求項４に係る潜函水槽の構築方法によれば、荷重材料を入れる容器を、側壁の内周の上部に周方向に沿って、複数個、所定間隔をあけて設けるので、前記側壁に対する付加荷重が側壁の周方向に均等に作用するため、側壁の沈設に伴う潜函水槽の傾きを無くすることができる。
【図面の簡単な説明】
【図１】本発明の一実施の形態に係る潜函水槽の構築方法を示す縦断面図である。
【符号の説明】
１　側壁
１ａ　側壁の上端部
２　支柱部材
３　容器
４ａ，４ｂ　地盤
５　掘削積込み機械
５ａ　グラブバケット
Ｅ　地面
Ｗ　掘削土（荷重材料）
【図１】
2004019173.tif 000003